(57)【要約】【課題】衣類に皺が付くのを簡単に防止できる洗濯機を提供すること。【解決手段】制御装置（１１１）の予定情報取得手段（１４）によって取得されたユーザの予定情報に基づいて、予定判別手段（１６）が洗濯の終了する時刻にユーザの予定が空いていないと判別すると、一時停止手段（１７）によって、特定の洗濯工程を一時停止する。【選択図】図１
2014104280.tif 000002
【特許請求の範囲】
【請求項１】
洗濯部と、
通信部と、
操作部と、
上記操作部からの指示に基づいて、上記洗濯部を制御する制御装置と
を備え、
上記制御装置は、
上記通信部を介して、ユーザの予定情報を取得する予定情報取得手段と、
上記予定情報取得手段によって取得した予定情報に基づいて、洗濯の終了する時刻にユーザの予定が空いているか否かを判別する予定判別手段と、
上記予定判別手段がユーザの予定が空いていないと判別すると、特定の洗濯工程を一時停止する一時停止手段と
を有することを特徴とする洗濯機。
【請求項２】
請求項１に記載の洗濯機において、
上記一時停止手段によって上記特定の洗濯工程が一時停止になっている状態で、上記予定情報に基づいて、洗濯がユーザの予定が空く時刻に終了するように、上記特定の洗濯工程を再開する再開手段
を有することを特徴とする洗濯機。
【請求項３】
請求項１または２に記載の洗濯機において、
洗濯工程の全てが終了した時点で、上記予定判別手段がユーザの予定が空いていなくなったと判別した場合に、皺の発生を防止するための工程に移行させる移行手段
を有することを特徴とする洗濯機。
【請求項４】
請求項１から３のいずれか１つに記載の洗濯機において、
上記予定情報取得手段は、携帯端末またはネットワーク上のサーバから、ユーザの予定情報を、あるいは、ユーザが現在見ているテレビの番組の終了時刻を表す情報を取得する機能を有するテレビから、その終了時刻を表す予定情報を取得することを特徴とする洗濯機。
【請求項５】
請求項１から４のいずれか１つに記載の洗濯機において、
洗濯工程の進行状況や脱水工程の終了時刻を、メッセージを表示する機能を有するテレビの画面の一部に表示して報知する報知手段を有することを特徴とする洗濯機。
【発明の詳細な説明】
【技術分野】
【０００１】
この発明は、洗濯機に関する。
【背景技術】
【０００２】
洗濯機においては、衣類の脱水がされて洗濯が完了した後には、その衣類を直ぐに取り出さないと、衣類に皺が付いてしまうと言う問題がある。
【０００３】
従来、この問題を解決する洗濯機としては、特開２００２―３１５９９０号公報（特許文献１）に記載のように、洗濯の終了する迄の所要時間をタイマー予約して、その所要時間の経過後に、洗濯が終了するように、待機工程を行って、予定時刻に洗濯を終了して直ちに衣類を取り出せるようにしたものがある。
【０００４】
しかしながら、上記従来の洗濯機では、衣類を取り出すことができる時刻に基づいて、毎回、所要時間を設定しなければならないため、面倒であると言う問題がある。
【先行技術文献】
【特許文献】
【０００５】
【特許文献１】特開２００２―３１５９９０号公報
【発明の概要】
【発明が解決しようとする課題】
【０００６】
そこで、この発明の課題は、面倒ではなくて、簡単に衣類に皺が生じるのを防止できる洗濯機を提供することにある。
【課題を解決するための手段】
【０００７】
上記課題を解決するため、この発明の洗濯機は、
洗濯部と、
通信部と、
操作部と、
上記操作部からの指示に基づいて、上記洗濯部を制御する制御装置と
を備え、
上記制御装置は、
上記通信部を介して、ユーザの予定情報を取得する予定情報取得手段と、
上記予定情報取得手段によって取得した予定情報に基づいて、洗濯の終了する時刻にユーザの予定が空いているか否かを判別する予定判別手段と、
上記予定判別手段がユーザの予定が空いていないと判別すると、特定の洗濯工程を一時停止する一時停止手段と
を有することを特徴としている。
【０００８】
１実施形態は、
上記一時停止手段によって上記特定の洗濯工程が一時停止になっている状態で、上記予定情報に基づいて、洗濯がユーザの予定が空く時刻に終了するように、上記特定の洗濯工程を再開する再開手段
を有する。
【０００９】
１実施形態では、
上記再開手段は、
上記特定の洗濯工程が一時停止になっている状態で、上記予定情報に基づいて、ユーザの予定が空いたと判別したときに、上記特定の洗濯工程を再開する。
【００１０】
１実施形態は、
洗濯工程の全てが終了した時点で、上記予定判別手段がユーザの予定が空いていなくなったと判別した場合に、皺の発生を防止するための工程に移行させる移行手段
を有する。
【００１１】
１実施形態では、
上記特定の洗濯工程は、排水工程または脱水工程である。
【００１２】
１実施形態では、
上記予定情報取得手段は、携帯端末またはネットワーク上のサーバから、ユーザの予定情報を、あるいは、ユーザが現在見ているテレビの番組の終了時刻を表す予定情報を取得する機能を有するテレビから、その終了時刻を表す予定情報を取得する。
【００１３】
１実施形態は、
上記通信部を介して、洗濯工程の進行状況や脱水工程の終了時刻を報知する報知手段
を有する。
【００１４】
１実施形態では、
上記報知手段は、洗濯工程の進行状況や脱水工程の終了時刻を、メッセージを表示する機能を有するテレビの画面の一部に表示して報知する。
【００１５】
１実施形態では、
上記報知手段は、洗濯工程の進行状況や脱水工程の終了時刻を、メッセージをコマーシャルの放送中に表示する機能を有するテレビのコマーシャルの放映中に表示して報知する。
【発明の効果】
【００１６】
この発明によれば、面倒ではなくて、簡単に、衣類に皺が生じるのを防止できる洗濯機を提供することができる。
【図面の簡単な説明】
【００１７】
【図１】この発明の第１実施形態の洗濯機のブロック図である。
【図２】上記第１実施形態のフローチャートである。
【図３】この発明の第２実施形態の洗濯機のブロック図である。
【図４】上記第２実施形態の洗濯機のフローチャートである。
【図５】第３実施形態の洗濯機のブロック図である。
【発明を実施するための形態】
【００１８】
以下、この発明を図示の実施形態により詳細に説明する。
【００１９】
（第１実施形態）
図１に示すように、この第１実施形態の洗濯機１は、洗濯部１０と、制御装置１１１と、操作部１２と、通信部１３とを備える。
【００２０】
上記洗濯部１０は、図示しないが、周知の水槽、洗濯兼脱水槽、モータ、給水弁、排水弁等を有し、洗濯および脱水を行う。
【００２１】
上記操作部１２は、図示しないが、電源キー、スタートキー、洗濯コースを選択する洗濯キー、水量、洗い時間、すすぎ時間、脱水時間等の運転条件を設定する設定キー等を有し、さらに、後述のようにユーザの予定情報に基づいて、予定が空いていないときには排水工程を行わないように制御する予定情報運転モードを設定する予定情報運転モードキー１９を有する。尤も、予定情報運転モードキー１９を省略して、全ての運転を、予定情報運転モードで行うようにしてもよい。
【００２２】
上記通信部１３は、ローカルエリアネットワークを介して通信を行うための無線通信部である。この無線通信部である通信部１３は、通信規格の一例としてのWi-Fi（ワイファイ：ブランド名）の通信規格を用い、親機２０を介して、例えば、スマートフォン（smartphone：多機能携帯電話）等の携帯端末３０と情報を送受する。上記通信部１３、親機２０および携帯端末３０を介してローカルエリアネットワークが形成される。
【００２３】
なお、上記通信部１３は、有線通信部であってもよく、この通信部１３と親機２０との間で有線で通信することも可能である。この場合、上記通信部１３は、親機２０の無線通信手段を介して、携帯端末３０との間で情報が送受される。上記携帯端末３０が親機２０の通信圏内にあると、通信部１３は親機２０を介して携帯端末３０と通信することができる。
【００２４】
また、上記通信部１３は、親機２０およびインターネット４０を介してネットワーク上のサーバ５０との間で情報を送受する。
【００２５】
上記制御装置１１１は、例えば、マイクロコンピュータからなり、操作部１２から指令信号を受けると共に、通信部１３との間で情報を送受し、図２に示すような制御を行う。
【００２６】
上記制御装置１１１は、予定情報取得手段１４と、この予定情報取得手段１４で取得されたユーザの予定情報、各洗濯工程の制御プログラムおよび操作部１２によって設定された情報を記憶するメモリ１５と、予定判別手段１６と、一時停止手段１７と、再開手段１８と、報知手段３５とを有する。上記予定情報取得手段１４、予定判別手段１６、一時停止手段１７、再開手段１８および報知手段３５は、ソフトウェアによって構成されている。
【００２７】
上記予定情報取得手段１４は、ユーザの携帯端末３０の図示しないメモリに記憶されているユーザの予定情報を、通信部１３および親機２０を介して、参照して取得する。あるいは、上記予定情報取得手段１４は、ネットワーク上のサーバ５０に蓄積されているユーザの予定情報を、通信部１３、親機２０およびインターネット４０を介して、取得する。この予定情報は、例えば、グーグル（Google）の予定表情報である。
【００２８】
なお、ユーザの携帯端末３０は、例えば、操作部１２から、その携帯端末３０の識別ＩＤを入力することによって予め特定して事前に登録しておく。
【００２９】
また、上記予定判別手段１６は、例えば、すすぎ工程の後、排水工程の前に、上記取得した予定情報に基づいて、洗濯の終了する時刻にユーザの予定が空いているか否かを判別する。より具体的には、上記予定判別手段１６は、洗濯が終了する時刻を予測し、この予測した時刻と、取得した予定情報の時間帯とを比較して、洗濯の終了する時刻にユーザの予定が空いているか否かを判別する。
【００３０】
また、上記一時停止手段１７は、予定判別手段１６がユーザの予定が空いていないと判別すると、特定の洗濯工程の一例としての排水工程を一時停止する。なお、この特定の洗濯工程は、脱水工程であってもよく、他の工程であってもよい。
【００３１】
上記再開手段１８は、一時停止手段１７によって排水工程が一時停止になっている状態で、上記予定情報に基づいて、洗濯がユーザの予定が空く時刻に終了するように、排水工程を再開する。より詳しくは、例えば、ユーザの予定が空く時刻よりも、排水工程の開始から洗濯の終了までの時間分だけ前の時刻に、排水工程を再開する。あるいは、上記再開手段１８は、排水工程が一時停止になっている状態で、上記予定情報に基づいて、ユーザの予定が空いたと判別したときに、特定の洗濯工程の一例としての排水工程を再開するようにしてもよい。
【００３２】
上記報知手段３５は、通信部１３および親機２０を介して、洗濯工程の進行状況を文字等の画像情報や音声情報で携帯端末３０に報知し、さらに、脱水工程の終了時刻も携帯端末３０に画像情報や音声情報で報知する。
【００３３】
このように、洗濯工程の進行状況や脱水工程の終了時刻を、上記報知手段３５が、通信部１３を介して携帯端末３０に報知するので、ユーザは、出先で、洗濯工程の進行状況や終了時刻を把握できて、都合がよい。
【００３４】
なお、この洗濯機１は、携帯端末３０から、親機２０、インターネット４０等の通信経路を介して、洗濯工程の開始、一時停止、再開等をリモートコントロールできるようになっている。
【００３５】
上記構成の洗濯機は、次のように、動作する。
【００３６】
まず、図２のステップＳ１で、操作部１２の設定キーによって、運転条件等が設定され、さらに、予定情報運転モードキー１９によって、予定情報運転モードが設定される。そして、洗濯部１０の洗濯兼脱水槽に衣類と洗剤が投入される。
【００３７】
次に、ステップＳ２で、洗い工程が行われ、次いで、ステップＳ３ですすぎ工程が行われる。
【００３８】
次に、ステップＳ４で、携帯端末３０またはサーバ５０から、ユーザの予定情報を、親機２０および通信部１３を介して、あるいは、インターネット４０、親機２０および通信部１３を介して、取得して、メモリ１５に格納する。そして、上記予定情報に基づいて、洗濯の終了する時刻にユーザの予定が空いているか否かを判別する。そして、否と判別されると、このステップＳ４を繰り返し、洗濯工程を一時停止する。
【００３９】
このように、ユーザの予定情報に基づいて、洗濯の終了する時刻にユーザの予定が空いていないと判別された場合は、洗濯された衣類を直ぐに洗濯機１から取り出せない状態であるから、排水工程の前で、洗濯工程の進行を一時停止する。こうすることによって、排水前の水に衣類が浸かって、衣類に皺がよるのを防止できる。
【００４０】
一方、ステップＳ４で、ユーザの予定情報に基づいて、洗濯の終了する時刻にユーザの予定が空いていると判別されると、排水工程に進み、さらに、脱水工程に進んで、洗濯が完了する。
【００４１】
そして、洗濯が完了すると、制御装置１１１の報知手段３５は、通信部１３を介して携帯端末３０に洗濯の完了を報知させる。
【００４２】
このときは、ユーザの予定が空いていて、しかも、洗濯の完了が報知されるから、脱水された衣類を洗濯機１から直ぐに取り出すことができて、皺の発生が防止される。
【００４３】
また、これらの予定情報取得、予定判別、一時停止、再開等の動作は、自動的に行われるから、ユーザには何等面倒な操作が要求されない。したがって、この洗濯機１では、衣類を取り出す時刻に対応した所要時間を毎回設定する必要がなくて、面倒ではない。
【００４４】
上記ステップＳ４は、予定情報取得手段１４、メモリ１５、予定判別手段１６、一時停止手段１７および再開手段１８を用いて構成される。つまり、上記ステップＳ４は、予定情報取得手段１４、予定判別手段１６、一時停止手段１７および再開手段１８を構成する。
【００４５】
第１実施形態では、予定情報取得、予定判別、一時停止、再開のためのステップＳ４を、すすぎ工程の後、排水工程の前に行っているが、このステップＳ４を、排水工程の後、脱水工程の前にすることも可能である。また、上記ステップＳ４は、すすぎ工程の前に行うことも可能である。
【００４６】
上記第１実施形態では、親機２０を用いているが、この親機２０に代えて、近距離無線通信手段を用いて、洗濯機の通信部の概念に含まれる無線通信部と特定の携帯端末３０とが直接接続されてもよい。この近距離無線通信手段には、近距離無線通信規格の一例としてのブルートゥース（Bluetooth：近距離無線通信規格の一つ）が用いられる。
【００４７】
（第２実施形態）
図３に示す第２実施形態の洗濯機１０１は、図１に示す第１実施形態の洗濯機１とは、制御装置１１２の構成のみが、第１実施形態と異なる。したがって、図３において、図１の構成要素と同じ構成要素については、同じ参照番号を付して、その説明は省略し、異なる構成要素のみについて、以下に説明する。
【００４８】
図３において、制御装置１１２は、ソフトウェアによって構成された移行手段２５を有する。上記移行手段２５は、脱水工程の後、予定判別手段１６がユーザの予定情報に基づいて、ユーザの予定が空いていなくなったと判別した場合に、皺の発生を防止するための工程の一例としての注水工程（図４のステップＳ８を参照）に移行させ、さらに、図４のステップＳ４に進ませる。
【００４９】
図４において、ステップＳ１〜Ｓ６は、図２のステップＳ１〜Ｓ６と全く同じであるので、その説明は省略する。また、図４のステップＳ７では、ステップＳ４と全く同様に、ユーザの予定情報に基づいて、ユーザの予定が空いているか否かを判別し、ステップＳ７で否と判別されると、ステップＳ８の注水工程に進み、さらに、ステップＳ４に戻る。
【００５０】
上記第２実施形態の洗濯機１０１によれば、図４の脱水工程（ステップＳ６）の後に、ステップＳ７で、ユーザの予定が空いていないと、つまり、衣類を洗濯機１０１から取り出せない状態である場合には、洗濯機１０１に注水がされ、その後、ステップＳ４に戻る。
【００５１】
このように、脱水工程後に、ユーザの予定が空いていなく、衣類を洗濯機１０１から取り出せないときには、注水工程（ステップＳ８）に進んで、洗濯機１０１に注水し、その後、ステップＳ４に戻って、ユーザの予定が空くのを待つ。そして、ステップＳ４で、予定が空いていると判別すると、排水工程（ステップＳ５）、脱水工程（ステップＳ６）に進み、さらに、再度、ステップＳ７で、ユーザの予定が空いているか否かの判別を行う。したがって、衣類の脱水後、その状態で、衣類が長く放置されることがなくて、衣類に皺が付くのを防止できる。そして、洗濯が終了すると、報知手段３５で、携帯端末３０に洗濯の終了が報知される。
【００５２】
したがって、この洗濯機１０１では、衣類に皺が付くのを簡単かつ確実に防止できる。
【００５３】
上記第２実施形態では、ステップＳ７で、ユーザの予定が空いていない場合、皺の発生を防止するための工程の一例としての注水工程（ステップＳ８）に進むようにしているが、すすぎ工程（ステップＳ３）に進むようにしてもよい。
【００５４】
（第３実施形態）
図５に示す第３実施形態の洗濯機１０２は、図１に示す第１実施形態の洗濯機１とは、制御装置１１３の構成のみが、第１実施形態と異なる。したがって、図５において、図１の構成要素と同じ構成要素については、同じ参照番号を付して、その説明は省略し、異なる構成要素のみについて、以下に説明する。
【００５５】
図５において、この洗濯機１０２の通信部１３は、親機２０を介して、情報端末としての機能も有する例えばスマートテレビ等のテレビ６０と情報を送受する。このテレビ６０は、ユーザが現在見ているテレビ番組の終了時刻を、EPG（Electronic Program Guide：電子番組ガイド）情報を元に取得できる機能を有する。また、上記テレビ６０は、メッセージをCM（コマーシャル）の放送中に表示する機能も持っている。
【００５６】
上記制御装置１１３において、テレビ６０用の予定情報取得手段５４と報知手段５５以外の構成要素は、図１の制御装置１１１の構成要素と同じであるので、それらについては、図１の制御装置１１１の構成要素と同じ参照番号を付して、説明を省略する。
【００５７】
上記予定情報取得手段５４は、テレビ６０が取得したユーザが現在見ているテレビ番組の終了時刻を表す予定情報を、通信部１３および親機２０を介して、取得する。
【００５８】
上記報知手段５５は、洗濯工程の進行状況や脱水工程の終了時刻を、通信部１３および親機２０を介して、テレビ６０に表示や音声によって報知させる。この洗濯工程の進行状況や脱水工程の終了時刻の表示は、図５に示すように、テレビ６０の画面の一部に表示し、あるいは、コマーシャルの放映中の画面に表示させる。これは、テレビ６０内のプログラムによって、あるいは、洗濯機１０２の報知手段５５からの情報によって、行われる。
【００５９】
このように、洗濯工程の進行状況や脱水工程の終了時刻がテレビ６０の画面の一部に表示され、コマーシャルの放映中の画面に表示されるから、ユーザに違和感を与えることなく、確実に、洗濯工程の進行状況や脱水工程の終了時刻を報知することができる。
【００６０】
上記予定情報取得手段５４および報知手段５５以外の予定判別手段１６、一時停止手段１７および再開手段１８の動作は、第１実施形態と全く同じであるので、図２を援用して、その説明を省略する。
【００６１】
この発明および実施形態を纏めると、次のようになる。
【００６２】
この発明の洗濯機は、
洗濯部１０と、
通信部１３と、
操作部１２と、
上記操作部１２からの指示に基づいて、上記洗濯部１０を制御する制御装置１１１，１１２，１１３と
を備え、
上記制御装置１１１，１１２，１１３は、
上記通信部１３を介して、ユーザの予定情報を取得する予定情報取得手段１４，５４と、
上記予定情報取得手段１４，５４によって取得した予定情報に基づいて、洗濯の終了する時刻にユーザの予定が空いているか否かを判別する予定判別手段１６と、
上記予定判別手段１６がユーザの予定が空いていないと判別すると、特定の洗濯工程を一時停止する一時停止手段１７と
を有することを特徴としている。
【００６３】
上記構成の洗濯機によれば、上記予定情報取得手段１４，５４によって取得された個人つまりユーザの予定情報に基づいて、予定判別手段１６が洗濯の終了する時刻にユーザの予定が空いていないと判別すると、一時停止手段１７によって、特定の洗濯工程を一時停止するので、洗濯が最後迄行かない。したがって、ユーザの予定が空いていないとき、つまり、洗濯機から衣類を取り出せないときは、衣類が脱水された状態で長く放置されないから、衣類に皺が発生するのを簡単に防止することができる。
【００６４】
したがって、この洗濯機では、衣類を取り出す時刻に対応した所要時間を毎回設定する必要がなくて、面倒ではなく、簡単に、衣類に皺が発生するのを防止することができる。
【００６５】
１実施形態は、
上記一時停止手段１７によって上記特定の洗濯工程が一時停止になっている状態で、上記予定情報に基づいて、洗濯がユーザの予定が空く時刻に終了するように、上記特定の洗濯工程を再開する再開手段１８
を有する。
【００６６】
上記実施形態によれば、上記再開手段１８は、特定の洗濯工程が一時停止になっている状態で、予定情報に基づいて、洗濯がユーザの予定が空く時刻に終了するように、上記特定の洗濯工程を再開するので、ユーザの予定が空いているときに、洗濯を完了できて、洗濯済みの衣類を直ぐ洗濯機から取り出せるので、衣類に皺がよるのを防止できる。
【００６７】
１実施形態では、
上記再開手段１８は、
上記特定の洗濯工程が一時停止になっている状態で、上記予定情報に基づいて、ユーザの予定が空いたと判別したときに、上記特定の洗濯工程を再開する。
【００６８】
上記実施形態によれば、上記再開手段１８が、上記特定の洗濯工程が一時停止になっている状態で、上記予定情報に基づいて、ユーザの予定が空いたと判別したときに、上記特定の洗濯工程を再開するので、簡単に、予定が空いているときに、洗濯を終了でき、洗濯済みの衣類を直ぐ洗濯機から取り出せるので、衣類に皺がよるのを防止できる。
【００６９】
また、１実施形態は、
洗濯工程の全てが終了した時点で、上記予定判別手段１６がユーザの予定が空いていなくなったと判別した場合に、皺の発生を防止するための工程に移行させる移行手段２５
を有する。
【００７０】
上記実施形態によれば、上記移行手段２５によって、洗濯工程の全てが終了した時点で、上記予定判別手段１６がユーザの予定が空いていなくなったと判別した場合に、皺の発生を防止するための工程に移行させるから、脱水工程の後の衣類を放置することがなくて、衣類に皺が発生するのを防止できる。
【００７１】
また、１実施形態では、
上記特定の洗濯工程は、排水工程または脱水工程である。
【００７２】
上記実施形態によれば、特定の洗濯工程は、排水工程または脱水工程であるので、排水工程の開始前、または、脱水工程の開始前に、洗濯工程の進行を止めることができるので、確実に、皺の発生を防止できる。
【００７３】
また、１実施形態では、
上記予定情報取得手段１４，５４は、携帯端末３０またはネットワーク上のサーバ５０から、ユーザの予定情報を、あるいは、ユーザが現在見ているテレビ６０の番組の終了時刻を表す予定情報を取得する機能を有するテレビ６０から、その終了時刻を表す予定情報を取得する。
【００７４】
上記実施形態によれば、携帯端末３０またはネットワーク上のサーバ５０から、ユーザの予定情報を、あるいは、テレビ６０から、ユーザが現在見ているテレビ６０の番組の終了時刻を表す予定情報を取得するので、簡単に、ユーザの予定情報を取得することができる。
【００７５】
１実施形態では、
上記通信部１３を介して、洗濯工程の進行状況を報知する報知手段３５，５５を有する。
【００７６】
上記実施形態によれば、
上記報知手段３５，５５は、洗濯工程の進行状況や脱水工程の終了時刻を報知するので、ユーザは、洗濯工程の進行状況や脱水工程の終了時刻を把握できて、都合がよい。
【００７７】
１実施形態では、
上記報知手段５５は、洗濯工程の進行状況や脱水工程の終了時刻を、メッセージを表示する機能を有するテレビ６０の画面の一部に表示して報知する。
【００７８】
上記実施形態によれば、洗濯工程の進行状況がテレビ６０の画面の一部に報知されるので、ユーザに違和感を与えることなく、確実に、洗濯工程の進行状況を知らせることができる。
【００７９】
１実施形態では、
上記報知手段５５は、洗濯工程の進行状況や脱水工程の終了時刻を、メッセージをコマーシャルの放送中に表示する機能を有するテレビ６０のコマーシャルの放映中に表示して報知する。
【００８０】
上記実施形態によれば、テレビ６０のコマーシャルの放映中に、洗濯工程の進行状況や脱水工程の終了時刻が表示して報知されるので、ユーザに悪印象を与えることなく、確実に、洗濯工程の進行状況や脱水工程の終了時刻を報知することができる。
【符号の説明】
【００８１】
１，１０１，１０２  洗濯機
１０  洗濯部
１１１，１１２，１１３  制御装置
１２  操作部
１３  通信部
１４，５４  予定情報取得手段
１６  予定判別手段
１７  一時停止手段
１８  再開手段
１９  予定情報運転モードキー
２０  親機
３０  携帯端末
３５，５５  報知手段
６０  テレビ
【図１】
2014104280.tif 000003
【図２】
2014104280.tif 000004
【図３】
2014104280.tif 000005
【図４】
2014104280.tif 000006
【図５】
2014104280.tif 000007